(57)【要約】【課題】慣性ウエイトを利用して、製造容易で高精度な位置決めを行い、しかも回折素子への熱伝達を防ぎ、信頼性を向上させる。【解決手段】対物レンズ２をレンズホルダ１の上端部に固着し、回折素子３をレンズホルダ１の下端部に金属材料からなる慣性ウエイト９を介して固着する。このため対物レンズ２の慣性一次モーメントは慣性ウエイトにより打ち消され、可動部であるレンズホルダ１を軽量化を図ることができる。さらに、慣性ウエイト９に回折素子３が固定されているため、慣性ウエイト９による放熱作用によって駆動コイルの駆動時における発熱から回折素子３を保護することができる。【選択図】図２
2008192203.tif 000002
【特許請求の範囲】
【請求項１】
光記録媒体に対して光ビームを集光する対物レンズがレンズホルダに設けられ、前記対物レンズを前記レンズホルダと共に前記光記録媒体に対して少なくともフォーカス方向とラジアル方向に駆動するための駆動コイルが前記レンズホルダに設けられた構成のレンズアクチュエータにおいて、
複数の異なる波長の光源に対する複数種類の規格の光記録媒体に対して互換性を付与するための回折素子を、前記対物レンズに対向して配設される金属材料からなる慣性ウエイトを介して前記レンズホルダに設けたことを特徴とするレンズアクチュエータ。
【請求項２】
前記慣性ウエイトに内面が円筒面となる孔部を設け、前記回折素子に外面が円筒面となる軸部を設け、前記孔部と前記軸部との嵌め合いにて前記慣性ウエイトと前記回折素子との位置決めを行うことを特徴とする請求項１記載のレンズアクチュエータ。
【請求項３】
前記レンズホルダに内面が円筒面となる孔部を設け、前記慣性ウエイトに外面が円筒面となる軸部を設け、前記孔部と前記軸部との嵌め合いにて前記レンズホルダと前記慣性ウエイトとの位置決めを行うことを特徴とする請求項１記載のアクチュエータ。
【請求項４】
前記慣性ウエイトを前記レンズホルダに対して傾けて取り付け、前記対物レンズの光軸と前記回折素子の回折面が垂直に対して傾きを有するようにしたことを特徴とする請求項１〜３いずれか１項記載のレンズアクチュエータ。
【請求項５】
前記回折素子を前記慣性ウエイトに対して傾けて取り付け、前記対物レンズの光軸と前記回折素子の回折面が垂直に対して傾きを有するようにしたことを特徴とする請求項１〜３いずれか１項記載のレンズアクチュエータ。
【請求項６】
光記録媒体に対して光ビームを集光する対物レンズと、該対物レンズを前記光記録媒体に対して少なくともフォーカス方向とトラッキング方向とに駆動するレンズアクチュエータと、前記光記録媒体からの反射ビームから光学的情報を得る手段を備えた光ピックアップ装置において、
前記レンズアクチュエータとして請求項１〜５いずれか１項記載のレンズアクチュエータを搭載したことを特徴とする光ピックアップ装置。
【請求項７】
光ピックアップを備え、光学的に光記録媒体に対して情報の記録および／または再生を行う光学式記録／再生装置において、
前記光ピックアップとして請求項６記載の光ピックアップ装置を搭載したことを特徴とする光学式記録／再生装置。
【発明の詳細な説明】
【技術分野】
【０００１】
本発明は、光記録媒体に対して光ビームを集光する対物レンズを備え、該対物レンズを前記光情報記録媒体に対して少なくともフォーカス方向とラジアル方向とに駆動するレンズアクチュエータ、および、そのレンズアクチュエータを搭載した光ピックアップ装置ならびに光学式記録および／または再生装置に関するものである。
【背景技術】
【０００２】
レンズアクチュエータは、電気的直接変調により対物レンズを高速で所望の位置に制御できなければならない。これを満たすためには、対物レンズを保持するレンズホルダなどからなる可動部が軽量であること、可動部の構造が内部変形しないように高剛性であること、構造および構成部品が可動部を所定方向へ駆動するための駆動コイルの消費電力による発熱に耐えることが必要とされる。
【０００３】
さらに、精密駆動機構の構造に必要な原理としてアッベの原理を満たす必要がある。このアッベの原理の概念は、並進させたいときに傾かないようにすること、あるいは逆のことが生じないようにするために、低周波の駆動特性に対して駆動力が支持ばねの中心に作用する必要があり、高周波の駆動特性に対しては駆動力が慣性中心に作用する必要があるというものである。言い換えればレンズアクチュエータの場合には、可動部を所定方向へ駆動するための駆動コイルの推力中心と、可動部を支持する支持ばねの弾性中心と、質量分布の慣性中心とが一致している必要があるということになる。
【０００４】
複数のレーザ波長に対応するピックアップ用アクチュエータに使用される高密度大容量用の開口率が高い対物レンズは、従来と比較して質量が大きなものとなる。これに対してアッベの原理を満たすために慣性中心を合わせるウエイト量も大きくなる。また、複数のレーザ波長に対する互換用の回折素子の追加も質量増加となる。このような可動部における質量増加は、慣性領域（高周波領域）の感度を低下させるため、消費電力を増大させ易い。
【０００５】
この消費電力の増大は発熱量を増やすために部品の熱的問題を起こし易い。また、比較的質量の大きい部品を外形に取り付けると、可動部構造の剛性／質量分布の比が低下し、内部変形による共振特性の低下が生じ制御特性を悪化させ易い。
【０００６】
また、特許文献１には、対物レンズと回折素子とを一体化したレンズユニットにおいて、回折素子からのフレアの発生を防止するため、支持部材に対物レンズの光軸に対して回折素子を傾斜させて設ける構成が記載されている。
【０００７】
特許文献１に記載のレンズユニットでは、従来の対物レンズ単体と同様に扱うことができるメリットがあるが、対物レンズの外形に対して支持部材分、外径が増大するために可動部部分が一回り大きくなる。このことは質量増加と剛性低下との少なくともいずれか一方を招くことになる。また、光ディスクに対する対物レンズの開口率の関係により、対物レンズは可動部の上端に配置せざるを得ないため、対物レンズと回折素子と支持部材全部が可動部の上側に位置することになり、これに対応する慣性ウエイトの質量増加も大きくなる。さらに回折素子が支持部材内部に埋め込まれる位置関係になるため、発熱源となる駆動コイルとも距離が近くなり、駆動コイルからの熱伝達を避けるようにした構造、あるいは放熱を促進する手段を講じない限り、光学特性の信頼性が低下し易い。
【特許文献１】特開２００６−１３９８７４号公報
【発明の開示】
【発明が解決しようとする課題】
【０００８】
通常、光軸回りの回転体となる光学素子は、その作り易さや取り付け精度を高めるために、外形に円筒形状または円柱形状を形成することが一般的である。また、これを取り付ける相手側の部材には丸孔または段付丸孔を形成して、孔と軸との嵌合による位置決めを行う。
【０００９】
また、同心構造の回折素子を、複数のレーザ波長に対する互換用素子として使用する場合、その機能を満足するため下記の事項（１），（２）が必要となる。
（１）対物レンズの光軸と回折素子の光軸とを高精度に位置決めすること、
（２）一方で互換用の回折素子の両面は階段状の段差を有し、その各階段状の端面が平面であるため、各段の平面の積分が有効径全体の平面と等価であって、正反射によるフレアを防止するためにレンズ光軸に対して垂直から傾けること、
この場合、レンズ光軸に対して高精度の位置決めを行うべき回折素子の中心は、回折素子の両面のうちで対物レンズ側の面の中心ということになる。
【００１０】
前記回折素子のように傾けた面の中心を高精度で位置決めするには、筐体における対物レンズの保持用孔に対して傾いた保持用孔を設ける必要がある。ところが、このような形状にすることは、樹脂成形型で製造する場合に通常の金型構造では作成することはできない。一部分のみ傾けた可動型では、このようなレンズユニットなどの小型軽量化を要する部品に対して高精度に形状を作成することは困難である。つまり部品が製造できないか、または製造できても組み付けに必要な精度が得られない。
【００１１】
また、このような困難な形状の部材を使用すると、基本機能や信頼性に問題が発生する可能性が高くなる。
【００１２】
特許文献１には、対物レンズと回折素子とを支持部材に組み込む構成例が記載されているが、このような専用の支持部材を使用することは可動筐体であるレンズユニットの大型化を招き、レンズユニットに対するバランスウエイトの質量も増大させるため、大型化と質量増大による感度低下あるいは高次共振周波数の低下を招き易い。
【００１３】
本発明の目的は、前記従来の技術の課題を解決し、慣性ウエイトを利用して、製造容易で高精度な位置決めが行われ、しかも回折素子への熱伝達を防ぎ、信頼性の向上が図れる構成のレンズアクチュエータおよび光ピックアップ装置ならびに光学式記録／再生装置を提供することにある。
【課題を解決するための手段】
【００１４】
前記目的を達成するため、請求項１に記載の発明は、光記録媒体に対して光ビームを集光する対物レンズがレンズホルダに設けられ、前記対物レンズを前記レンズホルダと共に前記光記録媒体に対して少なくともフォーカス方向とラジアル方向に駆動するための駆動コイルが前記レンズホルダに設けられた構成のレンズアクチュエータにおいて、複数の異なる波長の光源に対する複数種類の規格の光記録媒体に対して互換性を付与するための回折素子を、前記対物レンズに対向して配設される金属材料からなる慣性ウエイトを介して前記レンズホルダに設けたことを特徴とし、この構成によって、バランス調整と放熱板として機能することになる金属製の慣性ウエイトを介して回折素子をレンズホルダに設けることにより、レンズホルダの駆動コイルの発熱から回折素子を保護することができる。
【００１５】
請求項２に記載の発明は、請求項１記載のレンズアクチュエータにおいて、慣性ウエイトに内面が円筒面となる孔部を設け、回折素子に外面が円筒面となる軸部を設け、孔部と軸部との嵌め合いにて慣性ウエイトと回折素子との位置決めを行うことを特徴とし、この構成によって、慣性ウエイトと回折素子との嵌め合いにより容易かつ確実に位置決めと組み付けを行うことができる。
【００１６】
請求項３に記載の発明は、請求項１記載のアクチュエータにおいて、レンズホルダに内面が円筒面となる孔部を設け、慣性ウエイトに外面が円筒面となる軸部を設け、孔部と軸部との嵌め合いにてレンズホルダと慣性ウエイトとの位置決めを行うことを特徴とし、この構成によって、レンズホルダと慣性ウエイトとの嵌め合いにより容易かつ確実に位置決めと組み付けを行うことができる。
【００１７】
請求項４に記載の発明は、請求項１〜３いずれか１項記載のレンズアクチュエータにおいて、慣性ウエイトをレンズホルダに対して傾けて取り付け、対物レンズの光軸と回折素子の回折面が垂直に対して傾きを有するようにしたことを特徴とし、この構成によって、回折素子の回折面が対物レンズの光軸に対して傾くように設置したことにより、前記のような熱対策を施すことができると共に、回折面の正反射によるフレアを防止することができる。
【００１８】
請求項５に記載の発明は、請求項１〜３いずれか１項記載のレンズアクチュエータにおいて、回折素子を慣性ウエイトに対して傾けて取り付け、対物レンズの光軸と回折素子の回折面が垂直に対して傾きを有するようにしたことを特徴とし、この構成によって、回折素子の回折面が対物レンズの光軸に対して傾くように設置したことにより、前記のような熱対策を施すことができると共に、回折面の正反射によるフレアを防止することができる。
【００１９】
請求項６に記載の発明は、光記録媒体に対して光ビームを集光する対物レンズと、該対物レンズを前記光記録媒体に対して少なくともフォーカス方向とトラッキング方向とに駆動するレンズアクチュエータと、前記光記録媒体からの反射ビームから光学的情報を得る手段を備えた光ピックアップ装置において、前記レンズアクチュエータとして請求項１〜５いずれか１項記載のレンズアクチュエータを搭載したことを特徴とし、この構成によって、設置されるレンズアクチュエータが熱対策を施した上で回折素子の回折面における正反射によるフレアを防止しつつ、容易かつ確実に組み付けが行われるものであるため、当該光ピックアップ装置を搭載するプレーヤあるいはドライブの性能を向上することができる。
【００２０】
請求項７に記載の発明は、光ピックアップを備え、光学的に光記録媒体に対して情報の記録および／または再生を行う光学式記録／再生装置において、前記光ピックアップとして請求項６記載の光ピックアップ装置を搭載したことを特徴とし、この構成によって、搭載される光ピックアップが熱対策を施した上で回折素子の回折面における正反射によるフレアを防止しつつ、容易かつ確実に組み付けが行われるものであるため、当該光学式記録／再生装置を搭載するプレーヤあるいはドライブの性能を向上することができる。
【発明の効果】
【００２１】
本発明に係るレンズアクチュエータによれば、複数の異なる波長の光源に対する複数種類の規格の光記録媒体に対して互換性を付与するための回折素子を、対物レンズに対向して配設される金属材料からなる慣性ウエイトを介してレンズホルダに設けたことにより、慣性バランス調整と放熱板として機能する慣性ウエイトによって、レンズホルダの駆動コイルの発熱から回折素子を保護することができる。
【００２２】
また、本発明の光ピックアップ装置あるいは光学式記録／再生装置によれば、レンズアクチュエータに本発明に係るレンズアクチュエータを備えることにより、ピックアップ特性，記録特性，再生特性などが向上する。
【発明を実施するための最良の形態】
【００２３】
以下、本発明の実施の形態を図面に基づいて説明する。
【００２４】
図１（ａ）〜（ｃ）は本発明に係る対物レンズアクチュエータを搭載した光ピックアップ装置の実施形態の構成図であって、（ａ）は正面図、（ｂ）は側面図、（ｃ）は底面図を示す。
【００２５】
図１において、可動部のレンズホルダ１は、図示しない光ディスクに対して光ビームを集光させてビームスポットを形成させる対物レンズ２と回折素子３とを保持する筐体であり、フォーカス用の駆動コイル４とトラッキング用の駆動コイル５とが取り付けられ、サスペンション兼コイル給電線となる支持ばね６を介して固定側ベース７設けられた支持ブロック１０に取り付けられている。固定側ベース７は磁気回路の背面ヨークを兼ねマグネット８が取り付けられており、この磁場の中にレンズホルダ１の駆動コイル４，５が配置されている。
【００２６】
前記構造では、レンズホルダ１の上部に対物レンズ２が設けられ、下部に回折素子３が設けられており、レンズホルダ１全体に対する、主として対物レンズ２と回折素子３との慣性一次モーメントを打ち消すように慣性ウエイト９が設けられている。この慣性ウエイト９に回折素子３が設けられている。
【００２７】
図２〜図１０は本発明に係るレンズアクチュエータの実施形態を説明するための断面図であって、本レンズアクチュエータの要部である対物レンズとレンズホルダと慣性ウエイトと回折素子の関連構成について示したものである。
【００２８】
図２に示す実施形態１において、対物レンズ２はレンズホルダ１の上端部に接着剤などで固着され、回折素子３は、レンズホルダ１の下端部に中央に透光１１が形成されている金属材料からなる慣性ウエイト９を介して接着剤などで固着されている。対物レンズ２，回折素子３，慣性ウエイト９の固着方法は、いずれの場合も、例えば紫外線硬化樹脂などの材料を使用して行うことができる。
【００２９】
前記構成にしたことにより、ＮＡの高いガラス材料からなる比較的重量の大きな対物レンズ２の慣性一次モーメントは、慣性ウエイト９を設置したことによりバランス調整が行われて効果的に打ち消され、これにより可動部であるレンズホルダ１の軽量化を図ることができ、さらに慣性ウエイト９に回折素子３が固定されているため、金属製の慣性ウエイト９による放熱作用によって駆動コイル４，５の駆動時における発熱から回折素子３を保護することができる。
【００３０】
図３に示す実施形態２において、慣性ウエイト９に内面が円筒面となる孔部９ａを設け、回折素子３に外面が円筒面となる軸部３ａを設け、これら円筒面の孔部９ａと軸部３ａとにおける中心軸がレンズホルダ１への組み付け時に、対物レンズ２の光軸と同軸となるように孔部９ａと軸部３ａとの嵌め合いによって、回折素子３と慣性ウエイト９との位置決め固着を行った上で、レンズホルダ１の下端部に慣性ウエイト９を位置決め固着する。このようにすることにより、実施形態１が奏する効果に加えて、回折素子３の位置決め固着を容易かつ確実に行うことができる。
【００３１】
図４に示す実施形態３において、レンズホルダ１に内面が円筒面となる孔部１ａを設け、慣性ウエイト９に外面が円筒面となる軸部９ｂを設け、これら円筒面の孔部１ａと軸部９ｂとにおける中心軸がレンズホルダ１への組み付け時に、対物レンズ２の光軸と同軸となるように孔部１ａと軸部９ｂとの嵌め合いによって、レンズホルダ１と慣性ウエイト９との位置決め固着を行う。このようにすることにより、実施形態１が奏する効果に加えて、最終的な回折素子３の位置決め固着を容易かつ確実に行うことができる。
【００３２】
図５に示す実施形態４において、回折素子３を慣性ウエイト９に固着した状態で、レンズホルダ１の中心軸に対して、対物レンズ２側の回折素子３における回折面の光軸中心を一致させつつ、回折素子３の回折面を対物レンズ２の光軸に対して垂直ではなく傾けた状態になるように、慣性ウエイト９をレンズホルダ１の下端部に固着した構成例を示している。
【００３３】
このようにすることにより、実施形態１が奏する効果に加えて、回折素子３の表面反射によるフレアの影響を受けない良好な特性を得ることができる。なお、対物レンズ２の光軸に垂直な平面に対して傾斜している取付け形状はレンズホルダ１あるいは慣性ウエイト９のいずれに設けてもよく、対物レンズ２の光軸に対する傾き以外の位置決めは適宜調整する。
【００３４】
図６に示す実施形態５において、実施形態４と同様に、回折素子３の回折面を対物レンズ２の光軸に対して垂直ではなく傾けた状態になるように、慣性ウエイト９をレンズホルダ１の下端部に固着すると共に、慣性ウエイト９に内面が円筒面となる孔部９ａを設け、回折素子３に外面が円筒面となる軸部３ａを設け、孔部９ａと軸部３ａとの嵌め合いにより、回折素子３と慣性ウエイト９との位置決め固着を行った上で、レンズホルダ１の下端部に慣性ウエイト９を位置決め固着する。このようにすることにより、実施形態４が奏する効果に加えて、回折素子３の位置決め固着を容易かつ確実に行うことができる。
【００３５】
図７に示す実施形態６において、実施形態４と同様に、回折素子３の回折面を対物レンズ２の光軸に対して垂直ではなく傾けた状態になるように、慣性ウエイト９をレンズホルダ１の下端部に固着すると共に、レンズホルダ１に内面が円筒面となる孔部１ａを設け、慣性ウエイト９に外面が円筒面となる軸部９ｂを設け、孔部１ａと軸部９ｂとの嵌め合いにより、レンズホルダ１と慣性ウエイト９との位置決め固着を行う。このようにすることにより、実施形態４が奏する効果に加えて、回折素子３の位置決め固着を容易かつ確実に行うことができる。
【００３６】
図８に示す実施形態７において、回折素子３を慣性ウエイト９に固着するとき、慣性ウエイト９をレンズホルダ１に固着する際に、回折素子３の回折面を対物レンズ２の光軸に対して垂直ではなく傾けた状態で組み込むため、回折素子３を傾けて慣性ウエイト９に固着した構成例を示している。
【００３７】
このようにすることにより、実施形態１が奏する効果に加えて、回折素子３の表面反射によるフレアの影響を受けない良好な特性を得ることができる。なお、対物レンズ２の光軸に垂直な平面に対して傾斜している取付け形状は回折素子３あるいは慣性ウエイト９のいずれに設けてもよく、対物レンズ２の光軸に対する傾き以外の位置決めは適宜調整する。
【００３８】
図９は実施形態７の変形例を示しており、図８に示す慣性ウエイト９では、一側面にテーパー面を設けて回折素子３を傾けて固着するようにしているが、図９に示す変形例では、慣性ウエイト９に曲げ加工などにより斜め面を有する受け溝部９ｃを形成し、この受け溝部９ｃに回折素子３を固着する構成にしている。
【００３９】
図１０に示す実施形態８において、実施形態７と同様に、回折素子３の回折面を対物レンズ２の光軸に対して垂直ではなく傾けた状態で組み込むため、回折素子３を傾けて慣性ウエイト９に固着すると共に、慣性ウエイト９に内面が円筒面となる孔部９ａを設け、回折素子３に外面が円筒面となる軸部３ａを設け、孔部９ａと軸部３ａとの嵌め合いにより、回折素子３と慣性ウエイト９との位置決め固着を行った上で、レンズホルダ１の下端部に慣性ウエイト９を位置決め固着する。このようにすることにより、実施形態７が奏する効果に加えて、回折素子３の位置決め固着を容易かつ確実に行うことができる。
【００４０】
図１１に示す実施形態９において、実施形態７と同様に、回折素子３の回折面を対物レンズ２の光軸に対して垂直ではなく傾けた状態で組み込むため、回折素子３を傾けて慣性ウエイト９に固着すると共に、レンズホルダ１に内面が円筒面となる孔部１ａを設け、慣性ウエイト９に外面が円筒面となる軸部９ｂを設け、孔部１ａと軸部９ｂとの嵌め合いにより、レンズホルダ１と慣性ウエイト９との位置決め固着を行う。このようにすることにより、実施形態７が奏する効果に加えて、回折素子３の位置決め固着を容易かつ確実に行うことができる。
【００４１】
図１２は本発明に係る実施形態の対物レンズアクチュエータを搭載した光ピックアップ装置の概略構成図であり、単一の対物レンズ２において、異なる光源波長を用いて、３種類の光記録媒体（ＢＤ系，ＤＶＤ系，ＣＤ系）２０ａ，２０ｂ，２０ｃを異なる開口数：ＮＡで記録または再生を行う互換型の光ピックアップである。
【００４２】
ＢＤ系、ＤＶＤ系，ＣＤ系の光記録媒体２０ａ，２０ｂ，２０ｃの基板厚は、それぞれ０．１ｍｍ，０．６ｍｍ，１．２ｍｍであり、またＢＤ系，ＤＶＤ系，ＣＤ系の光記録媒体２０ａ，２０ｂ，２０ｃに対応する開口数（ＮＡ）は、それぞれＮＡ０．８５，ＮＡ０．６５，ＮＡ０．５０であり、第１，第２，第３の光源の波長λ１，λ２，λ３は、それぞれλ１＝３９５〜４１５ｎｍ，λ２＝６５０〜６７０ｎｍ，λ３＝７７０〜８０５ｎｍである。
【００４３】
図１２に示す光ピックアップは、ＢＤ系光記録媒体２０ａに対して、半導体レーザ２１，コリメートレンズ２２，偏光ビームスプリッタ２３，波長選択性ビームスプリッタ２４，偏向プリズム２５，１／４波長板２６，収差補正素子（回折素子）３，対物レンズ２，検出レンズ２７，受光素子２８により構成される。第１の光源である半導体レーザ２１の中心波長は４０５ｎｍであり、対物レンズ２の開口数（ＮＡ）は０．８５である。対物レンズアクチュエータ１１を構成する対物レンズ２と収差補正素子（回折素子）３と慣性ウエイト９とが、図２〜図１１に示す各実施形態の構成のように単一のレンズホルダ１に設けられている。また、ＢＤ系光記録媒体２０ａの基板厚は０．１ｍｍである。
【００４４】
半導体レーザ２１の出射光は、コリメートレンズ２２により略平行光にされる。コリメートレンズ２２を通過した光は偏光ビームスプリッタ２３に入射し、偏向プリズム２５により偏向される。そして、１／４波長板２６で円偏光に変換され、収差補正素子３，対物レンズ２を介してＢＤ系光記録媒体２０ａに集光されることにより、情報の記録，再生がされる。そして、ＢＤ系光記録媒体２０ａからの反射光は１／４波長板２６を通過した後、往路の光の偏光方向とは直交する直線偏光に変換され、偏光ビームスプリッタ２３により反射と入射光とに分離して偏向され、検出レンズ２７により受光素子２８上に導かれ、再生信号，フォーカス誤差信号，トラック誤差信号が検出される。
【００４５】
なお、本光ピックアップにおいては、ＤＶＤ系光記録媒体２０ｂ用のレーザ光と、ＣＤ系光記録媒体２０ｃ用のレーザ光と発生する２波長レーザユニット３０を有しており、互いに波長の異なるレーザ光を出射することができる。
【００４６】
また、ＤＶＤ系光記録媒体２０ｂに対して、中心波長が６６０ｎｍのＤＶＤ系半導体レーザ３０ａから出射した光は、コリメートレンズ３１，波長選択性ビームスプリッタ２４を経て、偏向プリズム２５により偏向される。そして、１／４波長板２６，収差補正素子３，対物レンズ２を介して、ＤＶＤ系光記録媒体２０ｂに集光される。このＤＶＤ系光記録媒体２０ｂの基板厚は０．６ｍｍであり、開口数（ＮＡ）は０．６５である。ＮＡの切り替えは、収差補正素子３により制限される。そして、ＤＶＤ系光記録媒体２０ｂからの反射光は対物レンズ２，１／４波長板２６を通過した後、波長選択性ビームスプリッタ２４により偏向され、ホログラム素子３２により入射光と分離してＤＶＤ系受光素子３０ｂ上に導かれ、再生信号，フォーカス誤差信号，トラック誤差信号が検出される。
【００４７】
さらに、ＣＤ系光記録媒体２０ｃに対して、中心波長が７８５ｎｍのＣＤ系半導体レーザ３３ａから出射した光は、コリメートレンズ３１，波長選択性ビームスプリッタ２４を経て、偏向プリズム２５により偏向される。そして、１／４波長板２６，収差補正素子３，対物レンズ２を介して、ＣＤ系光記録媒体２０ｃに集光される。このＣＤ系光記録媒体２０ｃの基板厚は１．２ｍｍであり、対物レンズ２の開口数（ＮＡ）は０．５０である。ＮＡの切り替えは、収差補正素子３により制限される。そして、ＣＤ系光記録媒体２０ｃからの反射光は対物レンズ２，１／４波長板２６を通過した後、波長選択性ビームスプリッタ２４により偏向され、ホログラム素子３２により入射光と分離してＣＤ系受光素子３３ｂ上に導かれ、再生信号，フォーカス誤差信号，トラック誤差信号が検出される。
【００４８】
図１３は本発明に係る前記実施形態の構成の光ピックアップ装置を搭載した光学式記録再生装置の概略構成を示すブロック図であって、光記録媒体に対する情報の再生，記録，消去のうちの、少なくとも１つを行う装置である。
【００４９】
本実施形態では、図１２に示す光ピックアップ装置に相当する光ピックアップ４１を備えて構成されている。そして光記録媒体２０を回転駆動するスピンドルモータ４７と、情報信号の記録再生を行うにあたって使用される光ピックアップ４１と、光ピックアップ４１を光記録媒体２０の内外周に移動操作するための送りモータ４２と、所定の変調および復調処理を行う変復調回路４４と、光ピックアップ４１のサーボ制御などを行うサーボ制御回路４３と、光情報処理装置の全体の制御を行うシステムコントローラ４６とを備えている。
【００５０】
スピンドルモータ４７は、サーボ制御回路４３により駆動制御され、所定の回転数で回転駆動される。すなわち、記録再生の対象となる光記録媒体２０は、スピンドルモータ４７の駆動軸上にチャッキングされ、サーボ制御回路４３により駆動制御される。このスピンドルモータ４７によって、所定の回転数で回転駆動される。
【００５１】
光ピックアップ４１は、光記録媒体２０に対する情報信号の記録および再生を行うとき、前述したように、回転駆動される光記録媒体２０に対してレーザ光を照射し、その反射光を検出する。この光ピックアップ４１は、変復調回路４４に接続されている。そして、情報信号の記録を行う際には、外部回路４５から入力され変復調回路４４によって所定の変調処理が施された信号が光ピックアップ４１に供給される。光ピックアップ４１は、変復調回路４４から供給される信号に基づいて、光記録媒体２０に対して、光強度変調が施されたレーザ光を照射する。また、情報信号の再生を行う際には、光ピックアップ４１は、回転駆動される光記録媒体２０に対して、一定の出力のレーザ光を照射し、その戻り光から再生信号が生成され、この再生信号が変復調回路４４に供給される。
【００５２】
また、光ピックアップ４１はサーボ制御回路４３にも接続されている。そして、情報信号の記録再生時に、回転駆動される光記録媒体２０によって反射されて戻ってきた戻り光から、前述したように、フォーカスサーボ信号およびトラッキングサーボ信号が生成され、それらのサーボ信号がサーボ制御回路４３に供給される。
【００５３】
変復調回路４４は、システムコントローラ４６および外部回路４５に接続されている。この変復調回路４４は、情報信号を光記録媒体２０に記録するときには、システムコントローラ４６による制御のもとで、光記録媒体２０に記録する信号を外部回路４５から受け取り、この信号に対して所定の変調処理を施す。
【００５４】
変復調回路４４によって変調された信号は、光ピックアップ４１に供給される。また、変復調回路４４は、情報信号を光記録媒体２０から再生するときには、システムコントローラ４６による制御のもとで、光記録媒体２０から再生された再生信号を光ピックアップ４１から受け取り、再生信号に対して所定の復調処理を施す。そして、変復調回路４４によって復調された信号は、変復調回路４４から外部回路４５へ出力される。
【００５５】
送りモータ４２は、情報信号の記録および再生を行うとき、光ピックアップ４１を光記録媒体２０の半径方向で所定の位置に移動させるためのものであり、サーボ制御回路４３からの制御信号に基づいて駆動される。すなわち、送りモータ４２は、サーボ制御回路４３に接続されており、サーボ制御回路４３により制御される。
【００５６】
サーボ制御回路４３は、システムコントローラ４６による制御のもとで、光ピックアップ４１が光記録媒体２０に対向する所定の位置に移動されるように、送りモータ４２を制御する。また、サーボ制御回路４３は、スピンドルモータ４７にも接続されており、システムコントローラ４６による制御のもとで、スピンドルモータ４７の動作を制御する。すなわち、サーボ制御回路４３は、光記録媒体２０に対する情報信号の記録および再生時に、光記録媒体２０が所定の回転数で回転駆動されるように、スピンドルモータ４７を制御する。
【００５７】
また、光記録媒体の種類を判別する方法として、トラッキングサーボ信号やフォーカスサーボ信号を用いてもよい。
【００５８】
複数種の光記録媒体に記録および再生処理する光学的記録／再生装置に本発明の光ピックアップ装置を具備することにより、基板厚の異なる光記録媒体に情報の記録，再生を行う品質の精度を高めることができる。
【産業上の利用可能性】
【００５９】
本発明は、ＣＤ系，ＤＶＤ系などの各種光記録媒体にビームを集光させる対物レンズを駆動するレンズアクチュエータ、そのレンズアクチュエータを搭載する各種の光ピックアップ装置，光学式記録／再生装置に適用することができる。
【図面の簡単な説明】
【００６０】
【図１】（ａ）〜（ｃ）は本発明に係る対物レンズアクチュエータを搭載した光ピックアップ装置の実施形態の構成図であって、（ａ）は正面図、（ｂ）は側面図、（ｃ）は底面図
【図２】本発明に係るレンズアクチュエータの実施形態１における要部の関連構成を示す断面図
【図３】本発明に係るレンズアクチュエータの実施形態２における要部の関連構成を示す断面図
【図４】本発明に係るレンズアクチュエータの実施形態３における要部の関連構成を示す断面図
【図５】本発明に係るレンズアクチュエータの実施形態４における要部の関連構成を示す断面図
【図６】本発明に係るレンズアクチュエータの実施形態５における要部の関連構成を示す断面図
【図７】本発明に係るレンズアクチュエータの実施形態６における要部の関連構成を示す断面図
【図８】本発明に係るレンズアクチュエータの実施形態７における要部の関連構成を示す断面図
【図９】本発明に係るレンズアクチュエータの実施形態７の変形例における要部の関連構成を示す断面図
【図１０】本発明に係るレンズアクチュエータの実施形態８における要部の関連構成を示す断面図
【図１１】本発明に係るレンズアクチュエータの実施形態９における要部の関連構成を示す断面図
【図１２】本発明に係る実施形態の対物レンズアクチュエータを搭載した光ピックアップ装置の概略構成図
【図１３】本発明に係る実施形態の構成の光ピックアップ装置を搭載した光学式記録再生装置の概略構成を示すブロック図
【符号の説明】
【００６１】
１  レンズホルダ
１ａ  レンズホルダにおける内面が円筒面となる孔部
２  対物レンズ
３  回折素子
３ａ  回折素子における外面が円筒面となる軸部
４，５  駆動コイル
８  マグネット
９  慣性ウエイト
９ａ  慣性ウエイトにおける内面が円筒面となる孔部
９ｂ  慣性ウエイトにおける外面が円筒面となる軸部
【図１】
2008192203.tif 000003
【図２】
2008192203.tif 000004
【図３】
2008192203.tif 000005
【図４】
2008192203.tif 000006
【図５】
2008192203.tif 000007
【図６】
2008192203.tif 000008
【図７】
2008192203.tif 000009
【図８】
2008192203.tif 000010
【図９】
2008192203.tif 000011
【図１０】
2008192203.tif 000012
【図１１】
2008192203.tif 000013
【図１２】
2008192203.tif 000014
【図１３】
2008192203.tif 000015